(57)【要約】【課題】記録媒体搬送時に発生するスリップが想定以上のものであったとしても、すべてジャムと判定することなく、ジャムの発生頻度を少なくしてユーザーの負担を軽減する。【解決手段】プリンタ装置本体（画像形成装置本体）Ａに、レジストローラ駆動開始タイミング再設定手段を備える。そして、検知手段４２への到達時間より、記録媒体をそのままレジストローラ３７へと送り込んでも、そのレジストローラの駆動開始タイミングに間に合わないと判断されるときには、レジストローラ駆動開始タイミング再設定手段により、レジストローラの駆動開始タイミングを再設定し（ステップＳ７）、中間転写ベルト（像担持体）２８がさらに１周してその中間転写ベルト上の画像が次に転写位置に達するタイミングに合わせてレジストローラの回転を開始して記録媒体を送り出すようにする（ステップＳ８）。【選択図】      図２
2007022722.tif 000002
【特許請求の範囲】
【請求項１】
画像形成時、給紙部材を回転して記録媒体を送り出し、搬送する記録媒体の先端を検知手段で検知してからレジストローラに突き当てて止め、像担持体上の画像にタイミングを合わせて前記レジストローラの回転を開始し、記録媒体を転写位置へと送り込んで、その転写位置で前記像担持体上の画像を記録媒体に転写する画像形成装置において、
レジストローラ駆動開始タイミング再設定手段を備え、
前記検知手段への到達時間より、記録媒体をそのまま前記レジストローラへと送り込んでも、そのレジストローラの駆動開始タイミングに間に合わないと判断されるときには、前記レジストローラ駆動開始タイミング再設定手段により、前記レジストローラの駆動開始タイミングを再設定し、前記像担持体がさらに１周してその像担持体上の画像が次に前記転写位置に達するタイミングに合わせて前記レジストローラの回転を開始して記録媒体を送り出すことを特徴とする画像形成装置。
【請求項２】
前記像担持体がさらに１周してその像担持体上の画像が次に前記転写位置に達するタイミングに前記レジストローラの駆動開始タイミングを合わせたとしても、そのレジストローラの駆動開始タイミングにも間に合わないと判断されるときには、ジャムと判定して画像形成装置本体の駆動を停止することを特徴とする、請求項１に記載の画像形成装置。
【請求項３】
所定位置から記録媒体が前記検知手段に達するまでの時間が設定値を越えたとき、そのまま前記レジストローラへと送り込んでも、そのレジストローラの駆動開始タイミングに間に合わないと判断されることを特徴とする、請求項１または２に記載の画像形成装置。
【請求項４】
前記給紙部材で記録媒体を送り出してから記録媒体が前記検知手段に達するまでの時間を前記設定値と比較することを特徴とする、請求項３に記載の画像形成装置。
【請求項５】
画像形成時、給紙部材を回転して記録媒体を送り出し、搬送する記録媒体の先端を検知手段で検知してからレジストローラに突き当てて止め、像担持体上の画像にタイミングを合わせて前記レジストローラの回転を開始し、記録媒体を転写位置へと送り込む画像形成装置の給紙制御方法において、
前記検知手段への到達時間より、記録媒体をそのまま前記レジストローラへと送り込んでも、そのレジストローラの駆動開始タイミングに間に合わないと判断されるときには、前記レジストローラ駆動開始タイミング再設定手段により、前記レジストローラの駆動開始タイミングを再設定し、前記像担持体がさらに１周してその像担持体上の画像が次に前記転写位置に達するタイミングに合わせて前記レジストローラの回転を開始して記録媒体を送り出すことを特徴とする画像形成装置の給紙制御方法。
【請求項６】
前記像担持体がさらに１周してその像担持体上の画像が次に前記転写位置に達するタイミングに前記レジストローラの駆動開始タイミングを合わせたとしても、そのレジストローラの駆動開始タイミングにも間に合わないと判断されるときには、ジャムと判定して画像形成装置本体の駆動を停止することを特徴とする、請求項５に記載の画像形成装置の給紙制御方法。
【発明の詳細な説明】
【技術分野】
【０００１】
この発明は、複写機、プリンタ、ファクシミリまたはそれらの複合機などの画像形成装置に関する。詳しくは、画像形成時、給紙ローラ等の給紙部材を回転して、用紙、ＯＨＰフィルム等の記録媒体を送り出し、搬送する記録媒体の先端を検知手段で検知してからレジストローラに突き当てて止め、像担持体上の画像にタイミングを合わせてレジストローラの回転を開始し、記録媒体を転写位置へと送り込んで、その転写位置で像担持体上の画像を記録媒体に転写する画像形成装置に関する。および、そのような画像形成装置において、転写位置へと記録媒体を給紙する給紙制御方法に関する。
【背景技術】
【０００２】
従来、例えば電子写真式の画像形成装置では、画像形成時、給紙ローラ等の給紙部材を回転して給紙カセット等から記録媒体を送り出し、分離手段で一枚ずつ分離してその記録媒体を搬送ガイドで案内しながら搬送ローラ等の搬送部材により搬送し、記録媒体の先端をレジストローラに突き当てて止め、像担持体上の画像にタイミングを合わせてそのレジストローラの回転を開始し、記録媒体を転写位置へと送り込んで、転写位置で、転写チャージャ、転写ローラなどを用いた転写装置により像担持体上の画像を転写し、記録媒体に記録媒体に画像を記録していた。
【０００３】
ところで、給紙カセット等から送り出された記録媒体が常に計算どおりに搬送されるのであれば、像担持体上の画像が転写位置に到達するタイミングに合わせて記録媒体の画像開始位置が転写位置に到達するように、給紙ローラ等で記録媒体を送り出すようにすればよい。
【０００４】
ところが、給紙ローラで送り出した記録媒体は、分離手段で一枚ずつ分離したり、搬送ガイドで案内しながら搬送部材で搬送したりすることから、例えば分離手段による分離時や搬送ガイドとの接触時にスリップを生じ、計算どおりの搬送速度では搬送できないことがあった。
【０００５】
よって、従来は、転写位置の手前にレジストローラを設け、想定内のスリップの場合は、記録媒体をレジストローラに突き当てて止め、スリップの大小を吸収して記録媒体の先端を揃え、スリップの大小に関係なく同じタイミングでレジストローラの回転を開始して記録媒体を送り出していた。
【０００６】
しかしながら、予想を越える使用環境の下で使用したり、規定外の用紙を使用したりするなどして、記録媒体のスリップ量が想定外に大きくなると、レジストローラの駆動開始タイミングに遅れ、像担持体上の画像が転写位置に到達するタイミングに間に合わなくなる。
【０００７】
このため、従来は、レジストローラの上流位置に光学式センサ等の検知部材を配置して記録媒体の先端を検知し、給紙ローラで記録媒体を送り出してから検知部材位置に到達するまでの時間が設定値を越える場合は、すべてジャムと判定し、画像形成装置本体の駆動を停止して画像形成動作を中断していた。
【０００８】
【特許文献１】特開２００１−２１３５３７号公報
【特許文献２】特開平６−２７１１５１号公報
【特許文献３】特開２０００−１１８１１６号公報
【特許文献４】特開２００１−２６３３７号公報
【発明の開示】
【発明が解決しようとする課題】
【０００９】
ところが、ジャムと判定し、画像形成装置本体の駆動を停止して画像形成動作を中断すると、ユーザーが画像形成装置本体内からジャムした記録媒体を取り出さなければ画像形成動作を再開することができず、きわめて面倒であった。
【００１０】
そこで、この発明の目的は、記録媒体搬送時に発生するスリップが想定以上のものであったとしても、すべてジャムと判定することなく、ジャムの発生頻度を少なくしてユーザーの負担を軽減することにある。
【課題を解決するための手段】
【００１１】
かかる目的を達成すべく、この発明の第１の態様は、画像形成時、給紙ローラ等の給紙部材を回転して、用紙、ＯＨＰフィルム等の記録媒体を給紙カセット等から送り出し、搬送する記録媒体の先端を光学式センサ等の検知手段で検知してからレジストローラに突き当てて止め、感光体や中間転写体などの像担持体上に形成した画像にタイミングを合わせてレジストローラの回転を開始することにより、記録媒体を転写位置へと送り込んで、その転写位置で像担持体上の画像を記録媒体に転写する、複写機、プリンタ、ファクシミリなどの画像形成装置であり、そのような画像形成装置において、レジストローラ駆動開始タイミング再設定手段を備え、検知手段への到達時間より、記録媒体をそのままレジストローラへと送り込んでも、そのレジストローラの駆動開始タイミングに間に合わないと判断されるときには、レジストローラ駆動開始タイミング再設定手段により、レジストローラの駆動開始タイミングを再設定し、像担持体がさらに１周してその像担持体上の画像が次に転写位置に達するタイミングに合わせてレジストローラの回転を開始して記録媒体を送り出すものである。
【００１２】
記録媒体の検知手段への到達時間が遅れ、像担持体がさらに１周してその像担持体上の画像が次に転写位置に達するタイミングにレジストローラの駆動開始タイミングを合わせたとしても、そのレジストローラの駆動開始タイミングにも間に合わないと判断されるときには、またさらに像担持体が１周してその像担持体上の画像が次に転写位置に達するタイミングに合わせてレジストローラの回転を開始して記録媒体を送り出すことなく、ジャムと判定して画像形成装置本体の駆動を停止するとよい。また、ある設定値を設定して、例えば給紙部材で記録媒体を送り出してから記録媒体が検知手段に達するまでの時間がその設定値を越えたとき、そのままレジストローラへと送り込んでも、レジストローラの駆動開始タイミングに間に合わないと判断される。
【００１３】
上述した目的を達成すべく、この発明の第２の態様は、画像形成時、給紙ローラ等の給紙部材を回転して、用紙、ＯＨＰフィルム等の記録媒体を送り出し、搬送する記録媒体の先端を光学式センサ等の検知手段で検知してからレジストローラに突き当てて止め、感光体や中間転写体などの像担持体上に形成した画像にタイミングを合わせてレジストローラの回転を開始し、記録媒体を転写位置へと送り込む画像形成装置の給紙制御方法であり、そのような給紙制御方法において、検知手段への到達時間より、記録媒体をそのままレジストローラへと送り込んでも、そのレジストローラの駆動開始タイミングに間に合わないと判断されるときには、レジストローラ駆動開始タイミング再設定手段により、レジストローラの駆動開始タイミングを再設定し、像担持体がさらに１周してその像担持体上の画像が次に転写位置に達するタイミングに合わせてレジストローラの回転を開始して記録媒体を送り出すようにする。
【００１４】
このときも、像担持体がさらに１周してその像担持体上の画像が次に転写位置に達するタイミングにレジストローラの駆動開始タイミングを合わせたとしても、そのレジストローラの駆動開始タイミングにも間に合わないと判断されるときには、ジャムと判定して画像形成装置本体の駆動を停止するとよい。
【発明の効果】
【００１５】
請求項１に記載の発明によれば、検知手段への到達時間より記録媒体をそのままレジストローラへと送り込んでも、そのレジストローラの駆動開始タイミングに間に合わないと判断されるときには、レジストローラ駆動開始タイミング再設定手段によりレジストローラの駆動開始タイミングを再設定し、像担持体がさらに１周してその像担持体上の画像が次に転写位置に達するタイミングに合わせてレジストローラの回転を開始するので、記録媒体搬送時に発生するスリップが想定以上のものであったとしても、すべてジャムと判定することなく、ジャムの発生頻度を少なくしてユーザーの負担を軽減した画像形成装置を提供することができる。
【００１６】
請求項２に記載の発明によれば、記録媒体の検知手段への到達時間が遅れ、像担持体がさらに１周してその像担持体上の画像が次に転写位置に達するタイミングにレジストローラの駆動開始タイミングを合わせたとしても、そのレジストローラの駆動開始タイミングにも間に合わないと判断されるときには、ジャムと判定して画像形成装置本体の駆動を停止するので、記録媒体搬送時に発生するスリップが想定以上のものであったとしても、すべてジャムと判定することなく、ジャムの発生頻度を低減する一方、記録媒体の遅れが一定以上のときにはジャムと判定して、画像形成時間が著しく長くなることを防止した画像形成装置を提供することができる。
【００１７】
請求項３に記載の発明によれば、ある設定値を設定して、所定位置から記録媒体が検知手段に達するまでの時間がその設定値を越えたとき、そのままレジストローラへと送り込んでも、レジストローラの駆動開始タイミングに間に合わないと判断されるので、搬送する記録媒体のスリップやジャムの発生を正確に把握してそれらに的確に対応した画像形成装置を提供することができる。
【００１８】
請求項４に記載の発明によれば、給紙部材で記録媒体を送り出してから記録媒体が検知手段に達するまでの時間を設定値と比較するので、給紙路全体で、搬送する記録媒体のスリップやジャムの発生を正確に把握してそれらに的確に対応した画像形成装置を提供することができる。
【００１９】
請求項５に記載の発明によれば、検知手段への到達時間より記録媒体をそのままレジストローラへと送り込んでも、そのレジストローラの駆動開始タイミングに間に合わないと判断されるときには、レジストローラ駆動開始タイミング再設定手段によりレジストローラの駆動開始タイミングを再設定し、像担持体がさらに１周してその像担持体上の画像が次に転写位置に達するタイミングに合わせてレジストローラの回転を開始するので、記録媒体搬送時に発生するスリップが想定以上のものであったとしても、すべてジャムと判定することなく、ジャムの発生頻度を少なくしてユーザーの負担を軽減した画像形成装置の給紙制御方法を提供することができる。
【００２０】
請求項６に記載の発明によれば、記録媒体の検知手段への到達時間が遅れ、像担持体がさらに１周してその像担持体上の画像が次に転写位置に達するタイミングにレジストローラの駆動開始タイミングを合わせたとしても、そのレジストローラの駆動開始タイミングにも間に合わないと判断されるときには、ジャムと判定して画像形成装置本体の駆動を停止するので、記録媒体搬送時に発生するスリップが想定以上のものであったとしても、すべてジャムと判定することなく、ジャムの発生頻度を低減する一方、記録媒体の遅れが一定以上のときにはジャムと判定して、画像形成時間が著しく長くなることを防止した画像形成装置の給紙制御方法を提供することができる。
【発明を実施するための最良の形態】
【００２１】
以下、図面を参照しつつ、この発明の実施の最良形態につき説明する。
図１には、この発明による画像形成装置の一例であるカラーレーザプリンタにおける内部機構の全体概略構成を示す。
【００２２】
図示カラーレーザプリンタのプリンタ装置本体Ａ内には、ほぼ中央に感光体装置１０を備える。感光体装置１０には、複数のローラ１１に掛け回して、エンドレスベルト状の感光体１２を設ける。感光体１２の表面には、有機感光層を形成してなる。感光体装置１０のまわりには、帯電装置１４、書込み装置１５、現像装置１６、中間転写装置１７、一次クリーニング装置１８などを備える。
【００２３】
帯電装置１４は、高電圧を印加することにより像担持体１２の表面を一様に帯電する。
書込み装置１５は、たとえばコンピュータからのカラー画像信号に基づき不図示のレーザダイオードからレーザ光を発し、そのレーザ光をポリゴンミラー２０、ｆ／θレンズ２１、反射ミラー２２などを介して出射してそれぞれブラック、シアン、マゼンタ、イエロの画像信号に対応した書込みを行い、感光体１２上に静電潜像を形成する。
【００２４】
現像装置１６は、トナーカートリッジ２３にブラック、シアン、マゼンタ、またはイエロの非磁性一成分現像剤を収納し、それぞれ着脱自在に多段に備える。そして、選択的に感光体１２に近付け、現像ケース２４内に収納するローラ状の現像剤担持体２５を感光体１２に接触し、または近接可能とする。
【００２５】
中間転写装置１７は、複数のローラ２７に掛け回して、像担持体である中間転写ベルト２８を有する。エンドレスの中間転写ベルト２８に囲まれた空間には、この例では廃トナーボトル２９を備える。他方、中間転写ベルト２８のまわりには、記録媒体搬送路３０を挟んで二次転写装置３１を備え、また中間転写ベルト２８の二次クリーニング装置３２を備える。
【００２６】
感光体１２の一次クリーニング装置１８は、感光体１２にクリーニングブラシ１８Ａを接触してなる。なお、中間転写ベルト２８の二次クリーニング装置３２にも、同様に、中間転写ベルト２８にそのクリーニングブラシ３２Ａを接触してなる。
【００２７】
ところで、このレーザプリンタのプリンタ装置本体Ａには、底部に、出し入れ自在に給紙カセット３４を取り付ける。給紙カセット３４内には、用紙、ＯＨＰフィルムなどの記録媒体を積載して収納する。記録媒体は、給紙部材である給紙ローラ３５の回転で送り出して分離パッド３３で重送を防止しながら記録媒体搬送路３０に送り込み、不図示の搬送ガイドで案内しながら搬送ローラ３６で搬送し、先端を一対のレジストローラ３７間に突き当てて止める。そして、中間転写ベルト２８上の画像にタイミングを合わせてレジストローラ３７の回転を開始し、中間転写ベルト２８と二次転写装置３１間の転写位置に向けて送り込む。
【００２８】
記録媒体搬送路３０の下流には、定着装置３８に続き、排紙ローラ３９を設ける。また、プリンタ装置本体Ａ上には、記録済みの記録媒体をフェイスダウンでスタックする排紙スタック部４０を設けてなる。
【００２９】
さて、このレーザプリンタで記録媒体に画像を記録するときは、ローラ１１・２７を回転して感光体１２および中間転写ベルト２８をそれぞれ図中矢示方向に回転搬送するとともに、給紙ローラ３５を回転して記録媒体を記録媒体搬送路３０を通して中間転写ベルト２８と二次転写装置３１間に送り込む。
【００３０】
そして、帯電装置１４で感光体１２の表面を一様に帯電し、書込み装置１５でまず第１色目の書込みを行って感光体１２上に第１色目の静電潜像を形成する。次いで、現像装置１６の１つで、静電潜像と逆の電荷に帯電された現像剤を静電付着し、静電潜像を可視像化して第１色目の画像を形成する。その第１色目の画像は、現像剤と逆の電荷を印加することにより中間転写ベルト２８上に転写する。それから、同様に帯電、書込み、現像を行って第２色目から第４色目の画像を逐次形成し、それらの画像を各色ごと順次転写し、４色合成して中間転写ベルト２８上にカラー画像を形成する。
【００３１】
中間転写ベルト２８上に形成したカラー画像は、転写位置で二次転写装置３１により、現像剤と逆の電荷を印加することにより記録媒体に転写する。画像転写後の記録媒体は、定着装置３８で転写画像を定着後、排紙ローラ３９で排紙スタック部４０上に排出してそこにスタックする。
【００３２】
画像転写後の感光体１２は、一次クリーニング装置１８のクリーニングブラシ１８Ａで転写残現像剤を除去して次の画像形成に備える。また、画像転写後の中間転写ベルト２８も、二次クリーニング装置３２のクリーニングブラシ３２Ａで転写残現像剤を除去して次の画像形成に備える。
【００３３】
図２には、図１に示すカラーレーザプリンタの給紙制御フローを示す。
図２に示すとおり、画像形成時（印刷開始時）には、まず給紙タイミングを設定するとともに、レジストローラ３７の駆動開始タイミングを設定する（ステップＳ１）。
【００３４】
そして、給紙タイミングで給紙を開始し、給紙ローラ３５を回転して給紙カセット３４から記録媒体を送り出す（ステップＳ２）。送り出した記録媒体は、上述したとおり、分離パッド３３で重送を防止しながら記録媒体搬送路３０に送り込み、不図示の搬送ガイドで案内しながら搬送ローラ３６で搬送する。
【００３５】
レジストローラ３７の上流位置には、反射型や透過型の光学式センサなどの検知手段４２を配置する。そして、搬送する記録媒体の先端を検知手段４２で検知し（ステップＳ３）、給紙ローラ３５で送り出してから記録媒体が検知手段４２に達するまでの時間を算出し、その算出値を設定値と比較する（ステップＳ４）。そして、算出値が設定値以下のとき、そのままレジストローラ３７に送り込んでも、そのレジストローラ３７の駆動開始タイミングに間に合うと判断され、反対に設定値を越えたとき、レジストローラ３７の駆動開始タイミングに間に合わないと判断される。
【００３６】
レジストローラ３７の駆動開始タイミングに間に合うと判断されたときは、記録媒体をレジストローラ３７に突き当てて止め、中間転写ベルト２８上の画像にタイミングを合わせてレジストローラ３７の回転を開始し（ステップＳ５）、記録媒体を転写位置へと送り込んで、その転写位置で中間転写ベルト２８上の画像を記録媒体に転写し（ステップＳ６）、画像形成を終了（印刷終了）する。
【００３７】
他方、レジストローラ３７の駆動開始タイミングに間に合わないと判断されたときには、プリンタ装置本体Ａ内に備えるレジストローラ駆動開始タイミング再設定手段により、レジストローラ３７の駆動開始タイミングを再設定し（ステップＳ７）、中間転写ベルト２８がさらに１周してその中間転写ベルト２８上の画像が次に転写位置に達するタイミングに合わせてレジストローラ３７の回転を開始する（ステップＳ８）。そして、記録媒体を転写位置へと送り込んで、その転写位置で中間転写ベルト２８上の画像を記録媒体に転写し（ステップＳ６）、画像形成を終了（印刷終了）する。
【００３８】
このようにすることにより、記録媒体搬送時に発生するスリップが想定以上のものであり、記録媒体の検知手段４２への到達時間が遅れたとしても、すべてジャムと判定することなく、ジャムの発生頻度を少なくしてユーザーの負担を軽減したカラーレーザプリンタ、およびその給紙制御方法を提供することができる。ある設定値を設定して、所定位置から記録媒体が検知手段４２に達するまでの時間がその設定値を越えたとき、そのままレジストローラ３７へと送り込んでも、そのレジストローラ３７の駆動開始タイミングに間に合わないと判断されるので、搬送する記録媒体のスリップやジャムの発生を正確に把握してそれらに的確に対応することができる。
【００３９】
ところで、図示例のカラーレーザプリンタでは、記録媒体の検知手段４２への到達時間が遅れ、中間転写ベルト２８がさらに１周してその中間転写ベルト２８上の画像が次に転写位置に達するタイミングにレジストローラ３７の駆動開始タイミングを合わせたとしても、そのレジストローラ３７の駆動開始タイミングにも間に合わないと判断されるときには、またさらに中間転写ベルト２８が１周してその中間転写ベルト２８上の画像が次に転写位置に達するタイミングに合わせてレジストローラ３７の回転を開始して記録媒体を送り出すことなく、そのときはジャムと判定してプリンタ装置本体Ａの駆動を停止する。
【００４０】
このようにすると、記録媒体搬送時に発生するスリップが想定以上のものであったとしても、すべてジャムと判定することなく、ジャムの発生頻度を低減する一方、記録媒体の遅れが一定以上のときにはジャムと判定して、画像形成時間が著しく長くなることを防止することができる。
【００４１】
図３には、この発明による画像形成装置の他例であるカラーレーザプリンタにおける内部機構の全体概略構成を示す。
【００４２】
この図３に示すカラーレーザプリンタでも、同様に、エンドレスベルト状の感光体１２に逐次単色画像を形成し、その単色画像を順次転写してエンドレスの中間転写ベルト２８上に合成カラー画像を形成する。しかし、このカラーレーザプリンタでは、給紙カセット３４を三段に備え、各給紙カセット３４内の記録媒体をそれぞれの給紙ローラ３５で送り出す一方、手差しトレイ４４を開閉自在に備えて手差し給紙ローラ４５を設ける。また、プリンタ装置本体Ａに、記録媒体の裏面にも画像を記録するときに片面記録済みの記録媒体を反転して再給紙する両面ユニット４６を取り付ける。
【００４３】
そして、画像形成時、適宜選択して給紙ローラ３５の１つを回転して、対応する給紙カセット３４から記録媒体を送り出し、搬送する記録媒体の先端を検知手段４２で検知してからレジストローラ３７に突き当てて止め、中間転写ベルト２８上の画像にタイミングを合わせてレジストローラ３７の回転を開始し、記録媒体を転写位置へと送り込んで、その転写位置で二次転写装置３１により中間転写ベルト２８上の画像を記録媒体に転写する。
【００４４】
この例においても、図示省略するが、プリンタ装置本体Ａ内にレジストローラ駆動開始タイミング再設定手段を備える。そして、検知手段４２への到達時間より、記録媒体をそのままレジストローラ３７へと送り込んでも、そのレジストローラ３７の駆動開始タイミングに間に合わないと判断されるときには、そのレジストローラ駆動開始タイミング再設定手段により、レジストローラ３７の駆動開始タイミングを再設定し、中間転写ベルト２８がさらに１周してその中間転写ベルト２８上の画像が次に転写位置に達するタイミングに合わせてレジストローラ３７の回転を開始して記録媒体を送り出すようにする。
【００４５】
図１と同様に、図中符号１５は書込み装置、１６はブラック、シアン、マゼンタ、イエロの各色現像装置であり、３８は定着装置、３９は排紙ローラ、４０は排紙スタック部である。
【図面の簡単な説明】
【００４６】
【図１】この発明による画像形成装置の一例であるカラーレーザプリンタにおける内部機構の全体概略構成図である。
【図２】その図１に示すカラーレーザプリンタの給紙制御フロー図である。
【図３】この発明による画像形成装置の他例であるカラーレーザプリンタにおける内部機構の全体概略構成図である。
【符号の説明】
【００４７】
２８    中間転写ベルト（像担持体）
３５    給紙ローラ（給紙部材）
３７    レジストローラ
４２    検知手段
Ａ      プリンタ装置本体（画像形成装置本体）
【図１】
2007022722.tif 000003
【図２】
2007022722.tif 000004
【図３】
2007022722.tif 000005